(57)【特許請求の範囲】
【請求項１】
ハウジングを含む装置であって、前記ハウジングが検出された患者の身体特性の図形表象あるいは数字表象を表示するためのスクリーンを有し、また前記ハウジングがセンサコネクタへの結合に適合する一つのコネクタを有し、前記センサコネクタが電気的にセンサに接続され、患者の少なくとも一つの身体特性を検出するために前記センサが患者に取り付け可能であり、さらに前記ハウジングが空洞と空洞部を有し、前記空洞が前記空洞部により画定され、前記空洞部が複数の異なる寸法のカバーのうちの任意の一つを受け入れるように構成され、前記任意の一つのカバーを前記空洞部から取り外すべく所定の力を加えるまでは、前記任意の一つのカバーは前記空洞部に取り外し可能に装着されており、前記任意の一つのカバーが前記空洞部に挿入されると、前記任意の一つのカバーは前記空洞と共にレセプタクルを形成し、前記レセプタクルは所定寸法の対応するセンサをぴったり受け入れるようにその寸法が定められ、前記対応するセンサが前記レセプタクル内に置かれると、前記レセプタクルから意図的に取り外されるまで前記対応するセンサは前記レセプタクル内にしっかりと保持される装置。
【請求項２】
前記いずれか一つのカバーが舌部を備え、前記対応するセンサが前記レセプタクルに挿入された状態では、前記舌部が前記対応するセンサの一つの面に対して傾いており、前記レセプタクルから前記対応するセンサを取り外そうとする故意の動きがない場合、前記対応するセンサが前記レセプタクル内に摩擦により保持される請求項１に記載の装置。
【請求項３】
前記空洞を画定する前記空洞部が、外側背壁と、基部と、前記外側背壁から延びる二つの側壁と、前記基部に隣接して前記外側背壁に形成される突出部とを備え、前記任意の一つのカバーが端挿入部を有し、前記任意の一つのカバーを前記空洞部から取り外すべく加えられる所定の力が存在しない場合、前記端挿入部が前記突出部と協働して前記任意の一つのカバーが前記空洞部から取り外されるのを防ぐ請求項１に記載の装置。
【請求項４】
前記複数のカバーの各々がホルスターの形に構成され、前記ホルスターが二つの側壁を有し、前記二つの側壁が前壁から延び、前記前壁が舌部を有し、前記二つの側壁が湾曲基部により接続され、前記湾曲基部が前記前壁を越えて下方に延び、前記前壁から離間した前記二つの側壁のそれぞれの端にフランジが形成され、前記フランジが前記複数のカバーの各々の前記空洞部への挿入を案内するように働き、前記複数のカバーの各々が前記空洞部に完全に挿入された場合に、前記湾曲基部が前記空洞部における湾曲基部に嵌合する請求項１に記載の装置。
【請求項５】
前記複数のカバーの各々が背壁を有しておらず、前記複数のカバーの各々の前記空洞部への挿入を案内するために、前記複数のカバーの各々の前記二つの側壁における前記フランジが前記空洞部の側壁における対応する溝に沿って滑動する請求項４に記載の装置。
【請求項６】
前記空洞部の前記基部が湾曲形状であり、前記複数のカバーの各々の前記端挿入部が湾曲バンドを備え、前記複数のカバーの各々が前記空洞部に挿入されると、前記湾曲バンドが前記湾曲基部に嵌合し、また前記湾曲バンドの一端が前記突出部と協働して前記複数のカバーの各々を前記空洞部に非固定的に装着する請求項３に記載の装置。
【請求項７】
前記空洞部に装着されている前記複数のカバーの各々が異なる寸法の対応する複数のレセプタクルを形成し、前記複数のレセプタクルのうちの第１レセプタクルが第１の寸法であり、かつ第１センサである指センサを保持するように構成され、前記指センサが基部と頭部を有し、前記指センサ頭部が前記指センサ基部に対して相対的に軸旋回可能であり、また前記複数のレセプタクルのうちの第２レセプタクルが第２の寸法であり、かつ相対的に互いに軸旋回可能な二つの頭部を有する第２センサを保持するように構成され、さらに前記複数のレセプタクルのうちの第３レセプタクルが第３の寸法であり、かつ第３センサである小児用センサを保持するように構成される請求項１に記載の装置。
【請求項８】
前記第１センサ、前記第２センサ、および前記第３センサの各々が当該センサを対応するセンサコネクタに接続するケーブルを備え、前記センサコネクタが前記ハウジングにおける前記一つのコネクタに結合可能であり、前記センサコネクタのうちから選択されたセンサコネクタが握りタブを備え、前記握りタブが前記センサコネクタの主部に対して直角に形成され、これにより前記センサコネクタの前記ハウジングにおける前記一つのコネクタへの結合と前記センサコネクタの前記ハウジングにおける前記一つのコネクタからの取り外しとが容易になっている請求項７に記載の装置。
【請求項９】
さらにセンサ組立体を含み、前記センサ組立体がセンサを有し、らせん状ケーブルにより前記センサ組立体の前記センサがセンサコネクタに接続され、当該センサコネクタが前記ハウジングにおける前記一つのコネクタに結合し、前記センサがセンサ頭部を有し、前記センサ頭部が相手レセプタクル内に位置することができ、取り外し可能に前記空洞部に装着された所定のカバーにより前記相手レセプタクルが形成される請求項１に記載の装置。
【請求項１０】
前記ハウジングが別のコネクタを備え、前記別のコネクタが電力またはＵＳＢコネクタに接続可能であり、これにより電力を受けかつ／または当該装置と他の装置との間での通信を行うように構成される請求項１に記載の装置。
【請求項１１】
当該装置が酸素濃度計を含み、この酸素濃度計がドッキングステーションに結合可能であり、前記ドッキングステーションが前記酸素濃度計を載せる受け部を有し、前記ハウジングの前記別のコネクタがドックコネクタに結合し、これにより前記酸素濃度計の動作および／または前記酸素濃度計の電源への再充電が可能である請求項１０に記載の装置。
【請求項１２】
前記ドッキングステーションが電気的かつ機械的にプリンタに結合するように構成され、前記プリンタが少なくとも前記酸素濃度計からのデータを印刷するように構成される請求項１１に記載の装置。
【請求項１３】
ハウジングを含む酸素濃度計であって、前記ハウジングがスクリーンを有し、前記スクリーンが前記ハウジングの前部に位置し、前記スクリーンが患者の少なくとも一つの身体特性の図形表象あるいは数字表象を表示するためのものであり、また前記ハウジングがセンサコネクタへの結合に適合する一つのコネクタを有し、前記一つのコネクタが前記スクリーンから離れており、前記センサコネクタが電気的にセンサに接続され、患者の身体特性を検出するために前記センサが患者に取り付け可能であり、さらに前記ハウジングが空洞と空洞部を有し、前記ハウジングの後部において前記空洞が前記空洞部により画定され、前記空洞部が互いに異なる寸法の複数のカバーのうちの任意の一つを受け入れるように構成され、前記任意の一つのカバーを前記空洞部から取り外すべく所定の力を加えるまでは、前記空洞部に挿入された前記任意の一つのカバーが前記空洞部に装着されており、前記空洞部に装着された前記任意の一つのカバーがレセプタクルを形成し、前記レセプタクルは所定寸法の対応するセンサをぴったり受け入れるようにその寸法が定められ、前記対応するセンサが前記レセプタクル内に置かれると、前記対応するセンサは前記レセプタクルから容易に取り外し可能に前記レセプタクル内にしっかりと保持され、また前記ハウジングが電源を収容するための室を有し、前記室が前記ハウジングの後部に位置する酸素濃度計。
【請求項１４】
前記任意の一つのカバーが舌部を備え、前記対応するセンサが前記レセプタクルに挿入された状態では、前記舌部が前記対応するセンサを前記ハウジングの後部の面に偏りにより押し付けており、これにより使用者が故意に前記レセプタクルから前記対応するセンサを取り外そうとしなければ、前記対応するセンサが前記レセプタクル内に保持される請求項１３に記載の酸素濃度計。
【請求項１５】
前記空洞部が外壁と、二つの側壁と、突出部とにより画定され、前記外壁が前記ハウジングの後部に位置し、前記二つの側壁が前記外壁から延び、かつ互いに接続して湾曲基部を形成し、前記湾曲基部に隣接する位置において前記突出部が前記外壁に形成され、前記任意の一つのカバーが湾曲端挿入部を有し、前記湾曲端挿入部が  前記湾曲基部に嵌合し、前記任意の一つのカバーを前記空洞部から取り外すべく加えられる所定の力が存在しない場合、前記湾曲端挿入部が前記突出部と協働して前記任意の一つのカバーが前記空洞部から取り外されるのを防ぐ請求項１３に記載の酸素濃度計。
【請求項１６】
前記複数のカバーの各々がその側部に案内部を有し、前記複数のカバーの各々の前記空洞部への挿入を案内するために、前記案内部が前記空洞部の側壁における対応する溝に沿って滑動するように構成される請求項１４に記載の酸素濃度計。
【請求項１７】
前記ハウジングが別のコネクタを備え、前記別のコネクタが前記ハウジングの基部に内側に設けられ、前記別のコネクタが電力またはＵＳＢコネクタに接続可能であり、これにより電力を受けかつ／または当該酸素濃度計と他の装置との間での通信を行うように構成される請求項１４に記載の酸素濃度計。
【請求項１８】
酸素濃度計とドッキングステーションとを含むシステムであって、前記酸素濃度計が、スクリーンと、一つのコネクタと、空洞部と、別なコネクタとを有し、前記スクリーンが前記酸素濃度計の前部に設けられ、前記スクリーンが患者の身体特性の図形表象あるいは数字表象を表示するためのものであり、前記一つのコネクタがセンサコネクタに結合するように構成され、前記センサコネクタが電気的にセンサに接続され、患者の少なくとも一つの身体特性を検出するために前記センサが患者に取り付け可能であり、前記空洞部が互いに異なる寸法の複数のカバーのうちの任意の一つを受け入れるように構成され、前記任意の一つのカバーを前記空洞部から取り外すべく所定の力を加えるまでは、前記空洞部に挿入された前記任意の一つのカバーが前記空洞部に装着されており、前記空洞部に装着された前記任意の一つのカバーと前記空洞部とがレセプタクルを形成し、前記レセプタクルは所定寸法の対応するセンサをぴったり受け入れるようにその寸法が定められ、前記対応するセンサが前記レセプタクルから取り外し可能に前記レセプタクル内にしっかりと保持され、前記酸素濃度計が前記ドッキングステーションにドッキングされ、また前記酸素濃度計が前記ドッキングステーションにドッキングされた時に、前記酸素濃度計の前記別なコネクタがドックコネクタに結合可能であるシステム。
【請求項１９】
さらにプリンタを含み、前記酸素濃度計からのデータを印刷するために前記プリンタが前記ドッキングステーションに接続可能である請求項１８に記載のシステム。
【請求項２０】
前記酸素濃度計が電源を含み、前記酸素濃度計が前記ドッキングステーションにドッキングされていない時に、前記電源が前記酸素濃度計の動作を可能にし、前記酸素濃度計が前記ドッキングステーションにドッキングされている時または前記別なコネクタが電力あるいはＵＳＢケーブルに接続されている時に、前記電源が再充電可能であり、また前記酸素濃度計が前記ドッキングステーションにドッキングされている時または前記酸素濃度計が前記ＵＳＢケーブルに接続されている時に、前記ドッキングステーションまたは前記ＵＳＢケーブルから前記酸素濃度計に至る通信路が形成される請求項１８に記載のシステム。
【発明の詳細な説明】
【技術分野】
【０００１】
本出願は、米国特許出願番号１２／２８５６６３に関連する。米国特許出願番号１２／２８５６６３は、２００８年１０月１０日に出願されており、「患者モニタリングに適する無線電気通信システム」と題されている。また本出願は、２００８年１０月２３日に出願され、「酸素濃度計装置」と題された米国意匠出願（代理人整理番号０１０６／００４８）にも関連する。米国特許出願番号１２／２８５６６３と前記米国意匠出願は、本発明の譲受人と同一人に譲渡されている。
【０００２】
本発明は、酸素濃度計に関し、より詳しくは新しい酸素濃度計装置に関する。この新しい酸素濃度計装置はハウジングを有していて、ハウジングは、互いに異なる寸法の複数のセンサを保持するための互いに異なる大きさの複数のレセプタクルを持つように、変更可能である。
【背景技術】
【０００３】
現在、複数の異なるタイプの手持ち式酸素濃度計装置が市場に存在する。これら酸素濃度計装置の中に、患者の指に嵌め込まれる酸素濃度計がある。これら酸素濃度計の一例は、本発明の譲受人により販売されている「ＤＩＧＩＴ」である。酸素濃度計装置の他のタイプとして、ケーブルによりセンサに接続された手持ち式装置がある。この手持ち式装置の場合、患者が一本の指をセンサに挿入し、患者の身体パラメータまたは特性、例えば動脈血酸素飽和度（ＳｐＯ２）を計測するためにセンサは使用される。このような手持ち式酸素濃度計ユニットの例として、本発明の譲受人により販売されている製品番号３３０１、製品番号３３０３、および製品番号３４０３のものがある。また、患者の身体特性を計測するためにケーブルによりセンサを接続することができるコンパクト型モニターもある。このコンパクト型モニターの例として、本発明の譲受人により販売されている製品番号３３０４のデジタルパルス酸素濃度計「ＡｕｔｏＣｏｒｒ」がある。市場で入手であきる上記酸素濃度計装置の場合、センサを収容する室部を持たないので、使用後にセンサは単に酸素濃度計装置の脇に置かれる。しばしば酸素濃度計が互いに寸法の異なるセンサ、例えば成人用センサと小児用センサと共に使用されるので、センサを収容する貯空間が必要になるばかりでなく、大型センサを保持するように設計された貯空間から小型センサが簡単には抜け落ちないようにするために、この貯空間が互いに異なる大きさのセンサをしっかり収容できることが求められる。
【発明の概要】
【０００４】
本発明の酸素濃度計装置は、新規に設計されたハウジングを含む。ハウジングは、その後部において、後壁部により画定される空洞を有する。またハウジングは、二つの側壁を有する。二つの側壁は、後壁部から延び、かつ互いに接合して基部を形成する。空洞は、二つの長手方向溝を有する。二つの長手方向溝は、それぞれ二つの側壁の脇に位置する。基部に隣接する後壁部の下端に、隆起部または突出部が形成される。二つの側壁間の空洞の幅は、互いに寸法が異なる複数のレセプタクルカバーのうちの任意の一つをそこに収容するように設定される。各レセプタクルカバーは、ハウジングに取り付けられるように構成される。各レセプタクルカバーは、ハウジングに取り付けられると、対応するセンサをしっかりと保持するのに適合する所定寸法のレセプタクルを形成し、これにより空洞をさらに画定する。
【０００５】
各レセプタクルカバーは、前壁から延びる二つの側壁を有する。レセプタクルを構成する二つの側壁と前壁は、酸素濃度計装置のハウジングにおける空洞を画定する二つの側壁と、長手方向の長さが実質的に同じである。レセプタクルカバーの両側壁は、前壁を越えて下方に延び、端挿入部を形成する。端挿入部は、ハウジングにおける空洞を画定する基部への嵌合部を形成するように構成される。空洞を画定する基部が半円形の場合、湾曲した基部への嵌合部を形成するようレセプタクルカバーの端挿入部は丸くされる。フランジが、レセプタクルカバーの各側壁に沿って長手方向に設けられる。レセプタクルカバーが案内されながら、酸素濃度計装置のハウジングに装着されることを目的として、フランジはハウジングの空洞を画定する二つの側壁における対応する長手方向溝に沿って滑動するよう構成される。レセプタクルカバーがハウジングに取り付けられると、ハウジングの後部にレセプタクルが形成される。この場合、ハウジングの後壁と、レセプタクルカバーと、レセプタクルカバーの二つの側壁とが、レセプタクルの４つの側部を形成し、そしてレセプタクルカバーの二つの側壁が空洞を画定する二つの側壁に重なる。レセプタクルを、ホルスター、収容空間、あるいはポケットと称してもよい。レセプタクルカバーが画定された空洞の二つの側壁に沿って完全に挿入されると、湾曲バンドの形をしたレセプタクルカバーの端挿入部の縁が空洞の後壁における突出部と協働し、これによりレセプタクルカバーは酸素濃度計装置のハウジングにしっかりと装着される。レセプタクルカバーを取り外す場合は、使用者は突出部によるラッチ力に打ち勝つ所定レベルの力を端挿入部に加えて、ハウジングの空洞からレセプタクルを押し出す。
【０００６】
互いに異なる寸法の複数のレセプタクルカバーにより形成され得るレセプタクルをハウジングに設けることにより、酸素濃度計装置を異なる種類のセンサと共に使用する際に、これらセンサの各々を対応するレセプタクルに保持または収容することができる。センサがしっかりとレセプタクルに保持され、偶発的にはレセプタクルから抜け落ちないことを保証するために、レセプタクル内部へと内側に偏るように生来的に形成される突出部または舌部がレセプタクルカバーの前壁の設けられる。レセプタクルと共に使用すべきセンサがレセプタクルに挿入されると、レセプタクルカバーにおける舌部がセンサをハウジングの後壁に寄りかけるように偏らせ、これによりセンサがレセプタクル内にしっかりと保持される。レセプタクルカバーの舌部により加えられるこの偏らせる力は、使用者が意図的にセンサをレセプタクルから引き抜こうとした時に、すぐにセンサをレセプタクルから外すことができる程度のものである。別の寸法のセンサを酸素濃度計装置に接続した場合は、それに対応する寸法のレセプタクルカバーが酸素濃度計装置のハウジングに装着されて、そのセンサに適するレセプタクルが形成される。
【０００７】
センサを酸素濃度計装置に接続可能とするために、センサのコネクタへの結合用の従来のコネクタが酸素濃度計装置の上部に設けられる。良く知られているように、ＳｐＯ２を計測するセンサ、すなわち分光測光センサは、縦ケーブルによりそのコネクタに接続される。本発明の酸素濃度計装置において、らせん状ケーブルを有するセンサをスポットチェックのために酸素濃度計装置に接続してもよい。
【０００８】
酸素濃度計装置は、第２コネクタを有する。第２コネクタにより酸素濃度計装置はドッキングステーションにドッキングでき、酸素濃度計装置の電源、例えば再充電可能なバッテリパックを再充電することができるようになっている。また、第２コネクタにより、酸素濃度計装置と、酸素濃度計装置に接続された外部装置との間で、通信を行うことができる。集められそして酸素濃度計装置内に記憶されたデータを印刷するために、オプションとしてのプリンタをドッキングステーションに取り付けてもよい。
【０００９】
したがって本発明は、ハウジングを含む装置に関する。ハウジングは、少なくとも一つの検出された患者の身体特性の図形表象あるいは数字表象を表示するためのスクリーンを有する。さらにハウジングは、センサコネクタへの結合に適合する一つのコネクタを有する。センサコネクタは電気的にセンサに接続され、また患者の身体特性を検出するためにセンサは患者に取り付け可能となっている。またハウジングは、画定された空洞部を有する。空洞部は、互いに異なる寸法の複数のレセプタクルカバーのうちの任意の一つを受け入れるように構成される。ハウジングの空洞部に取り付けられると、任意の一つのレセプタクカバーは、空洞部から取り外すべく所定の力を加えるまでは、空洞部に取り外し可能に装着されている。ハウジングの画定された空洞部と共に、任意の一つのレセプタクカバーはレセプタクルを形成する。レセプタクルは、所定寸法の対応するセンサをぴったり受け入れるようにその寸法が定められる。対応するセンサがレセプタクルに入れられると、レセプタクルから意図的に取り外されるまで対応するセンサはレセプタクル内にしっかりと保持される。
【００１０】
また本発明は、ハウジングを含む酸素濃度計に関する。ハウジングは、スクリーンを有する。スクリーンは、ハウジングの前部に位置する。スクリーンは、患者の少なくとも一つの身体特性の図形表象あるいは数字表象を表示するためのものである。またハウジングは、センサコネクタへの結合に適合する一つのコネクタを有する。一つのコネクタは、スクリーンから離れている。センサコネクタは、電気的にセンサに接続される。患者の身体特性を検出するために、センサは患者に取り付け可能となっている。ハウジングの後部において、空洞部が画定される。ハウジングの空洞部は、互いに異なる寸法の複数のカバーのうちの任意の一つを受け入れるように構成される。空洞部に取り付けられると、任意の一つのカバーは、空洞部から取り外すべく所定の力を加えるまでは、空洞部に取り外し可能に装着されている。このように構成されたレセプタクルは、所定寸法の対応するセンサをぴったり受け入れるようにその寸法が定められる。対応するセンサがレセプタクルに挿入されると、対応するセンサはレセプタクルから容易に取り外し可能にレセプタクル内にしっかりと保持される。酸素濃度計の電源を収容するために、ハウジングの後部に室が設けられる。
【００１１】
さらに本発明は、酸素濃度計とドッキングステーションとを含むシステムに関する。酸素濃度計は、スクリーンと、一つのコネクタと、空洞部と、別なコネクタとを有する。スクリーンは、酸素濃度計の前部に設けられる。スクリーンは、患者の身体特性の図形表象あるいは数字表象を表示するためのものである。一つのコネクタは、センサコネクタへの結合に適合する。センサコネクタは、電気的にセンサに接続される。患者の少なくとも一つの身体特性を検出するために、センサは患者に取り付け可能である。空洞部は、互いに異なる寸法の複数のカバーのうちの任意の一つを受け入れるように構成される。空洞部に挿入されると、任意の一つのカバーは、空洞部から取り外すべく所定の力が加えられるまでは、空洞部に装着されている。空洞部に装着された任意の一つのカバーと空洞部とがレセプタクルを形成する。レセプタクルは、所定寸法の対応するセンサをぴったり受け入れるようにその寸法が定められる。対応するセンサは、レセプタクルから取り外し可能にレセプタクル内にしっかりと保持される。酸素濃度計は、ドッキングステーションにドッキングされる。また酸素濃度計がドッキングステーションにドッキングされた時に、酸素濃度計の別なコネクタがドックコネクタに結合可能である。
【００１２】
下記添付図面と連係した本発明の以下の説明により、本発明が明らかとなり、また本発明が最も良く理解される。
【図面の簡単な説明】
【００１３】
【図１】本発明酸素濃度計の実施例の前面図である。
【図２】本発明酸素濃度計の後面図である。
【図３】本発明酸素濃度計の一方の側面図である。
【図４】本発明酸素濃度計の他方の側面図である。
【図５ａ】成人用指センサを有するセンサ組立体を示す図である。
【図５ｂ】図５ａのセンサ組立体を示す別な図である。
【図５ｃ】図５ａのセンサ組立体におけるセンサ頭部の平面図である。
【図５ｄ】図５ａのセンサ組立体におけるコネクタの平面図である。
【図６ａ】図５ａ乃至図５ｄに示されるセンサより寸法が小さいセンサを有する別なセンサ組立体を示す図である。
【図６ｂ】図６ａのセンサ組立体を示す別な図である。
【図６ｃ】図６ｂに示されるセンサ組立体におけるセンサの反対側の側部を示す図である。
【図６ｄ】コネクタプラグの平面図であり、図６ａのセンサ組立体におけるコネクタのピンを示す。
【図７】図５ａ乃至図５ｄおよび図６ａ乃至図６ｄに示されるセンサより寸法が小さい小児用指センサを有するセンサ組立体を示す。
【図８ａ】コネクタに対して直角な握りタブとらせん状ケーブルとを有するスポット検査用センサ組立体を示す図である。
【図８ｂ】図８ａのセンサ組立体を示す別な図である。
【図８ｃ】図８ａのスポット検査用センサ組立体におけるコネクタの平面図である。
【図９】酸素濃度計装置と、レセプタクルカバーと、センサ組立体との相互関係を示しており、ここでレセプタクルカバーは酸素濃度計装置のハウジングに付けられるべきものであり、レセプタクルカバーを酸素濃度計装置のハウジングに取り付けることによりレセプタクルが形成され、レセプタクルに収容されるべき対応するセンサをセンサ組立体が有する。
【図１０ａ】酸素濃度計装置のハウジングに付けられた時に図５ａ乃至図５ｄに示されるセンサと共に使用されるよう構成されたレセプタクルカバーの透視図である。
【図１０ｂ】酸素濃度計装置のハウジングに付けられた時に図５ａ乃至図５ｄに示されるセンサと共に使用されるよう構成されたレセプタクルカバーの透視図である。
【図１０ｃ】図１０ａと図１０ｂのレセプタクルカバーの側面図である。
【図１０ｄ】図１０ａと図１０ｂのレセプタクルカバーの前面図である。
【図１０ｅ】図１０ａと図１０ｂのレセプタクルカバーの後面図である。
【図１０ｆ】図１０ａと図１０ｂのレセプタクルカバーの上面図である。
【図１０ｇ】図１０ａと図１０ｂのレセプタクルカバーの底面図である。
【図１１ａ】図６ａ乃至図６ｄに示されるセンサの受け入れ用のレセプタクルを形成するために酸素濃度計のハウジングに付けられるよう構成されるレセプタクルカバーの透視図である。
【図１１ｂ】図６ａ乃至図６ｄに示されるセンサの受け入れ用のレセプタクルを形成するために酸素濃度計のハウジングに付けられるよう構成されるレセプタクルカバーの透視図である。
【図１１ｃ】図１１ａと図１１ｂのレセプタクルカバーの側面図である。
【図１１ｄ】図１１ａと図１１ｂのレセプタクルカバーの前面図である。
【図１１ｅ】図１１ａと図１１ｂのレセプタクルカバーの後面図である。
【図１１ｆ】図１１ａと図１１ｂのレセプタクルカバーの上面図である。
【図１１ｇ】図１１ａと図１１ｂのレセプタクルカバーの底面図である。
【図１２ａ】図７ａに示される小児または乳児用センサとともに使用すべきレセプタクルカバーの透視図である。
【図１２ｂ】図７ａに示される小児または乳児用センサとともに使用すべきレセプタクルカバーの透視図である。
【図１２ｃ】図１２ａと図１２ｂのレセプタクルカバーの側面図である。
【図１２ｄ】図１２ａと図１２ｂのレセプタクルカバーの前面図である。
【図１２ｅ】図１２ａと図１２ｂのレセプタクルカバーの後面図である。
【図１２ｆ】図１２ａと図１２ｂのレセプタクルカバーの上面図である。
【図１２ｇ】図１２ａと図１２ｂのレセプタクルカバーの底面図である。
【図１３】本発明酸素濃度計装置の上面図であり、室部に位置するコネクタと、レセプタクルの形成を目的としたレセプタクルカバーの酸素濃度計ハウジングへの取り付けとを示す。
【図１４】本発明酸素濃度計装置と、その内部のコネクタとを示す底面図である。
【図１５】酸素濃度計装置の底部と、その内部コネクタと、内部コネクタに結合すべきコネクタ組立体のコネクタとを示す透視図である。
【図１６】酸素濃度計装置の上部と、その上方コネクタと、上方コネクタに接続すべきセンサ組立体のコネクタと上方コネクタの関係とを示す図である。
【図１７】レセプタクルが形成された酸素濃度計装置の後面図であり、さらにコイル状のケーブルセンサ組立体を示し、ここでケーブルセンサ組立体におけるセンサがレセプタクルに収容され、またケーブルセンサ組立体におけるコネクタが酸素濃度計に結合されている。
【図１８】本発明酸素濃度計装置の他の実施例の前面図である。
【図１９】本発明酸素濃度計装置のさらなる他の実施例の前面図である。
【図２０】本発明酸素濃度計装置の後部を示す分解透視図である。
【図２１】本発明酸素濃度計装置と共に使用すべきドッキングステーションの透視図である。
【図２２ａ】図２１のドッキングステーションの前部を示す図である。
【図２２ｂ】図２１のドッキングステーションの上部を示す図である。
【図２２ｃ】図２１のドッキングステーションの底部を示す図である。
【図２２ｄ】図２１のドッキングステーションの側部を示す図である。
【図２２ｅ】図２１のドッキングステーションの後部を示す図である。
【図２３】酸素濃度計装置のドッキングステーションへのドッキングと、ドッキングステーションから取り外されたドッキングステーション用バッテリパックとを示す透視図である。
【図２４ａ】図２１のドッキングステーションに取り付けることができるプリンタの前部を示す図である。
【図２４ｂ】図２１のドッキングステーションに取り付けることができるプリンタの後部を示す図である。
【図２４ｃ】図２１のドッキングステーションに取り付けることができるプリンタの上部を示す図である。
【図２４ｄ】図２１のドッキングステーションに取り付けることができるプリンタの一方の側部を示す図である。
【図２４ｅ】図２１のドッキングステーションに取り付けることができるプリンタの他方の側部を示す図である。
【図２５】プリンタのドッキングステーションへの部分的な結合を示す図である。
【図２６】ドッキングステーションに結合したプリンタを有するシステムを示す。
【図２７】開いた状態にあり、かつ新しい紙ロールを受け入れる状態にあるプリンタにおける紙ロール用容器を示す。
【発明を実施するための形態】
【００１４】
図１乃至図４を参照すると、そこには酸素濃度計（オキシメータ）２が示されている。図示の酸素濃度計２は、ディスプレイスクリーン４を有する。ディスプレイスクリーン４は、患者から測定または検出した身体特性の図形表象あるいは数字表象を表示するためのものである。図１における例としてのディスプレイスクリーン４はＬＥＤ型であり、このディスプレイスクリーン４において、数字「９８」は患者のＳｐＯ２（動脈血酸素飽和度）を表し、数字「８０」は患者の脈拍数を表す。さらにこのディスプレイスクリーン４上には、測定中の信号の強度を表す幅が漸増する第１バー６と、患者の灌流指数を表す第１バー６近傍の第２バー８が表示される。多くの場合、灌流指数（ＰＩ）を表す第２バー８は比較的一定であり、信号強度を表す第１バー６は変化する。またこのディスプレイスクリーン４上には、その他の図形表象も表示される。例えば、電気差込が表示されており、これは酸素濃度計２がＡＣ電源に接続されているか否かを表す。また、電池記号も表示されており、これは酸素濃度計２がＡＣ電源に接続されていない時に残電力量を表す。
【００１５】
例としての図１乃至図４の酸素濃度計２の動作は、カタログ番号３１３９２Ｂ１のＢＣＩマイクロパワーオキシメータボードまたはカタログ番号ＷＷ３７１１のＢＣＩデジタルマイクロパワーオキシメータボードに依拠してもよい。これらオキシメータボード、およびこれらオキシメータボードを用いて組み立てられた酸素濃度計の動作は従来のものであり、酸素濃度計の特別な動作は本出願発明に必要ない。酸素濃度計２は、同時継続中の米国特許出願番号１１／９０７９８０、１１／９０７９８１、１１／９０７９８２、１１／９０７９８３、および１２／２８５６６３に開示される特徴を含んでいてもよい。これら同時継続中の米国特許出願の開示内容は、参照により本出願に組み込まれる。実施例の酸素濃度計２は、オン／オフスイッチ１０が押されると、その動作を開始する。
【００１６】
酸素濃度計２はハウジング１２を備える。図１に示される前面１４、図２に示される後面すなわち背面１６、図３に示される左側面１８（前面から見た際）、および図４に示される右側面１９を有するように、ハウジング１２は構成される。
【００１７】
酸素濃度計２の背面１６は、後壁すなわち背壁１８と、バッテリまたは電源パックカバー２０と、突出型の室部２２とを含む多数の構成物を有する。背壁１８は２つの側壁２４ａと２４ｂ（図１６も参照のこと）を有し、側壁２４ａと２４ｂは背壁１８の主部から延びる。図２において、側壁２４ａと２４ｂは、酸素濃度計ハウジング１２の長手方向に沿って下に延び、そして互いに接合されて基部２６を形成する。図示の基部２６は、半円形状である。背壁１８、側壁２４ａと２４ｂ、および基部２６により、ハウジング１２の後部すなわち背部に空所または空洞２８が画成される。基部２６近傍の背壁１８の下部に、隆起部または突出部３０が形成される。突出部３０は、後述するラッチ機構として使用される。
【００１８】
酸素濃度計２の背面１６に、例えば縞状の親指パッド３０が設けられる。親指パッド３０に加える力により、バッテリカバー２０はハウジング１２の後部から取り外せるようになっている。このことはより明確に図２０に示される。図２０はラッチ３２を示していて、親指パッド３０を下に押すと、ラッチ３２が留め部３４から外れ、それによりバッテリカバー２０がハウジング１２の後部から外れ、室３８が外部に晒される。図２０では、酸素濃度計２の電源を含み、また通常は室３８に嵌め込まれているバッテリパック３６が、室３８から外されている。図２０にバッテリ用接点４０が示されていて、バッテリ用接点４０を介してバッテリパック３６から酸素濃度計２に電力が供給されるようになっている。バッテリパック３６に代えて、複数のバッテリ、例えば４本のバッテリを使用して、酸素濃度計２を駆動してもよい。この場合、例えば４本のバッテリは、室３８の背壁に描かれたバッテリ輪郭線に倣うように、室３８内に装着される。
【００１９】
図５ａないし図５ｄ、図６ａないし図６ｄ、図７、および図８ａないし図８ｃは、それぞれ異なるセンサ組立体を示していて、これらセンサ組立体は患者の身体特性を測定または検出するために酸素濃度計２と共に使用してもよい。図５ａないし図５ｄに示される指センサ組立体は、大きい成人サイズの指センサ４２を有する。指センサ４２は、ケーブル４４によりコネクタ４６に接続される。指センサ４２は、基部４２ａと可動部４２ｂを有する。患者が矢印４８方向に指を挿入すると、可動部４２ｂは基部４２ａに対して軸旋回して指をつかむ。図５ｄに明示されるように、コネクタ４６は従来のＤＢ−９コネクタである。図５ｂに示されるように、通例、コネクタ４６は握りタブ４６ａを有し、握りタブ４６ａはコネクタ４６の主部から長手方向に延びる。通常、コネクタ４６を酸素濃度計２の入力コネクタ５０（図１３）から外したり、コネクタ４６を入力コネクタ５０に接続したりするために、握りタブ４６ａは使用者により握られる。入力コネクタ５０は、例えば雌コネクタである。コネクタ４６の入力コネクタ５０への接続と、コネクタ４６の入力コネクタ５０からの取り外しを容易にするために、握りタブ４６ａをコネクタ４６の主部に対して直角に形成し、図５ａに破線で示される握りタブ４６ｂとして構成してもよい。図５ａないし図５ｄの指センサ４２は、製造番号３０４４として本発明の譲受人により製造される成人用指センサでもよい。
【００２０】
図６ａないし図６ｄは、センサ５２を有する第２のセンサ組立体を示す。センサ５２は、図５ａないし図５ｃの指センサ４２よりも寸法が小さい。図５ａないし図５ｄのセンサ組立体の要素と同じ図６ａないし図６ｄのセンサ組立体の要素には、それらと同じ参照符号を付す。図６ａないし図６ｃのセンサ５２は、指グリップタブ５２ａ′と５２ｂ′を備える２つの部分５２ａと５２ｂから成る。指グリップタブ５２ａ′と５２ｂ′を互いに近づくように押すと、２つの部分５２ａと５２ｂが相対的に軸旋回する。センサ５２は、製造番号３４４４として本発明の譲受人により製造されるセンサでもよい。
【００２１】
図７は、センサ５４を有する小児または乳児用の指センサ組立体を示す。センサ５４は、図５ａないし図５ｃの指センサ４２や図６ａないし図６ｃのセンサ５２よりも寸法が小さい。センサ５４は、２つの部分５４ａと５４ｂを有する。これらの部分５４ａと５４ｂは、旋回軸５６において互いに接続される。部分５４ａと５４ｂは軸旋回して開いて、矢印４８方向からの子供の指を受ける。
【００２２】
図８ａないし図８ｃは他のセンサ組立体を示し、患者の身体特性を測定するためにこのセンサ組立体は酸素濃度計２に結合可能である。図８ａないし図８ｃのセンサ組立体は、センサ５６を有する。図示のセンサ５６は、らせん状ケーブル５８によりコネクタ４６に接続される。センサ５６は、可動部５６ａと基部５６ｂを備える。可動部５６ａが基部５６ｂに対して軸旋回可能である点で、センサ５６は図５ａないし図５ｄの指センサ４２と同様である。前述のように、酸素濃度計２は雌コネクタである入力コネクタ５０を備える。図８ａに示されるように、コネクタ４６の入力コネクタ５０への接続と、コネクタ４６の入力コネクタ５０からの取り外しを容易にするために、コネクタ４６に握りタブ４６ａが設けられ、この握りタブ４６ａはコネクタ４６の主部に対して直角である。
【００２３】
図８ａと図８ｂに示されるように、らせん状ケーブル５８はらせん部５８ａを有し、このらせん部５８ａは一続きのらせんコイルから形成され、したがってらせん状ケーブル５８は伸長させることができる。非使用時、らせん状ケーブル５８は図８ａと図８ｂに示される縮んだ本来の状態にある。らせん状ケーブル５８に作用する引っ張り力は、らせん部５８ａにより吸収される。図５ａないし図５ｄ、図６ａないし図６ｄ、および図７のセンサ組立体におけるケーブル４４などの非らせん状ケーブルと同じくらいに、らせん状ケーブル５８をねじるべきではない。らせん状ケーブル５８のセンサ側端部とコネクタ側端部に、引っ張り力解放部５８ｂと５８ｃがそれぞれ設けられる。図５ａないし図５ｄ、図６ａないし図６ｄ、および図７のセンサ組立体におけるケーブル４４の両端部にも、このような引っ張り力解放部が設けられる。らせん状ケーブル５８はその主部に沿ってらせん部５８ａを有しており、図８ａと図８ｂに示されるように、引っ張り力解放部５８ｂと５８ｃへの接続のために、らせん状ケーブル５８の両端部は直線状に形成される。らせん部５８ａを引っ張り力解放部５８ｂと５８ｃの間に途切れることなく連続的に形成してもよい。図８ａないし図８ｃのセンサ組立体において、他の例として、らせん部５８ａの長さをらせん状ケーブル５８に対してさらに短くしてもよく、あるいはらせん部５８ａをらせん状ケーブル５８に沿った途切れ構造の複数のらせん部として形成してもよい。
【００２４】
患者のＳｐＯ２に対応するパラメータを検出する他のセンサと同様に、図８ａないし図８ｃのセンサ組立体におけるセンサ５６を分光測光センサと称してもよい。よく知られているように、患者のＳｐＯ２を測定するために、センサ５６はその一部分に少なくとも１つの発光ダイオードを有し、他の部分に光センサを有する。
【００２５】
センサ組立体におけるセンサは左掛け式ではないので、酸素濃度計２のハウジング１２はその背部に空洞２８を有するように構成される。前述のように、空洞２８は背壁１８、側壁２４ａと２４ｂ、および基部２６により画成される。空洞２８が画成された形状であり、種種のセンサがそれぞれ異なる寸法であることから、種種の寸法のセンサをハウジング１２において保持することを可能にする手段を工夫しなければならない。これを達成するために、所定寸法に設計されたレセプタクルカバー、ホルスターあるいはクリップ６０が、空洞２８を画定するハウジング１２の部分に取り外し可能に取り付け、あるいは張り付けられ、レセプタクル、ホルスターあるいはポケットが形成される。このレセプタクル、ホルスターあるいはポケットは特定の寸法であり、対応する寸法のセンサを保持するのに適合する。図９は、センサ、例えば図６のセンサ組立体におけるセンサ５２と、空洞２８に対して一直線状に揃うレセプタクルカバー６０を示す。レセプタクルカバー６０は滑動可能に空洞２８に嵌め込まれ、中に配置または中に入れられるセンサを保持するレセプタクルを形成する。
【００２６】
異なる３つのレセプタクルカバーの例が、図１０ａないし図１０ｇ、図１１ａないし図１１ｇ、および図１２ａないし図１２ｇに示される。空洞２８を画成する側壁２４ａと２４ｂ間の距離が、ハウジング１２の背部において一定である。レセプタクルカバーをハウジング１２の空洞画成部分に取り付けるために、各レセプタクルカバーの両側部により画定されるレセプタクルカバーの幅が、側壁２４ａと２４ｂ間の距離よりもわずかに小さくされる。したがって、レセプタクルの深さ、すなわち空洞２８を画成する背壁１８とレセプタクルカバーの前面壁との間の距離が、各レセプタクルの寸法を決定する。
【００２７】
図１０ａないし図１０ｇにおいて、図示の第１レセプタクルカバー６０ａは、２つの側壁６２ａと６２ｂを有する。レセプタクルカバー６０ａは前面壁６４を備えていて、２つの側壁６２ａと６２ｂが前面壁６４から延びる。側壁６２ａと６２ｂは、それらの一端部において、長手方向に延び、そして合体して湾曲端挿入部６６を形成する。湾曲端挿入部６６は端部６６ａを有する。側壁６２ａと６２ｂの長手方向に沿った縁部は、フランジ６８ａと６８ｂをそれぞれ備える。長手方向において、前面壁６４はほぼ湾曲端挿入部６６の始部分を形成する側壁６２ａと６２ｂの端部まで延びる。図１０ｄと図１０ｅに示されるように、湾曲端挿入部６６は半円環状である。図１０ｄと図１０ｅは、レセプタクルカバー６０ａの幅を参照符号「ｗ」で示す。図１０ｃにおいて、レセプタクルカバー６０ａの深さは参照符号「ｄ１」で示される。
【００２８】
図１０ｆと図１０ｇに示されるように、レセプタクルカバー６０ａの前面壁６４は突出部または舌部７０を有し、この突出部または舌部７０は矢印７２の方向において内側に傾く。レセプタクルカバー６０ａの前面壁６４上に、３つの番号（「１」、「２」、「３」）が表記される。これら番号のうち「３」が、図１０ｅの参照符号「７４ａ」で示されるように、丸で囲まれている。丸で囲まれた番号は、レセプタクルカバー６０ａが酸素濃度計ハウジング１２の空洞２８部分に装着されてレセプタクルを形成し、レセプタクルカバー６０ａの対応センサがレセプタクルに嵌まり込んで、対応センサと共にレセプタクルカバー６０ａが使用されている状態に関連するレセプタクルカバー６０ａの大きさを表す。本実施例において、レセプタクルカバー６０ａ上の丸で囲まれた番号「３」は、成人用センサと共にレセプタクルカバー６０ａが使用されるべきであることを表す。この成人用センサは、例えば図５ａないし図５ｄのセンサ組立体における指センサ４２である。
【００２９】
図１０ａないし図１０ｇのレセプタクルカバー６０ａの構成要素と同じ図１１ａないし図１１ｇおよび図１２ａないし図１２ｇのレセプタクルカバーの構成要素には、図１０ａないし図１０ｇのレセプタクルカバー６０ａの構成要素と同じ参照符号が付されている。前述のように、異なるレセプタクルカバー間の主たる相違は、前面壁と、前面壁から延びる両側壁の縁部との間の距離、すなわちレセプタクルカバーを酸素濃度計ハウジング１２に装着した状態でのハウジング１２の背壁１８とレセプタクルカバーの前面壁６４との間の距離にある。図１１ａないし図１１ｇのレセプタクルカバーに参照符号「６０ｂ」が付され、また図１１ｃに示されるように、その前面壁６４と両側壁６２ａと６２ｂの長手方向縁部との間の距離が参照符号「ｄ２」により表されている。同様に、図１２ａないし図１２ｇにおけるレセプタクルカバー６０ｃの深さは、参照符号「ｄ３」により表されている。図１０ａないし図１０ｇ、図１１ａないし図１１ｇ、および図１２ａないし図１２ｇにおける異なる３つのレセプタクルカバーは、図１０ｅ、図１１ｅ、および図１２ｅに示されるように、同一の幅「ｗ」を持つ。
【００３０】
図１０ａないし図１０ｇのレセプタクルカバー６０ａは最も大きなレセプタクルカバーであり、図１０ｅにおいて参照符号「７４ａ」で示されるように、番号「３」が丸で囲まれている。図１１ａないし図１１ｇのレセプタクルカバー６０ｂは小寸法であり、図１１ｅにおいて参照符号「７４ｂ」で示されるように、番号「２」が丸で囲まれている。３つのレセプタクルカバーのうち最小のレセプタクルカバーは図１２ａないし図１２ｇのものであり、図１２ｅにおいて参照符号「７４ｃ」で示されるように、番号「１」が丸で囲まれている。図１１ａないし図１１ｇのレセプタクルカバー６０ｂのすべての構成要素は図１０ａないし図１０ｇのレセプタクルカバー６０ａの構成要素と同じであるので、図１１ａないし図１１ｇのレセプタクルカバー６０ｂについての更なる説明は不要である。図１２ａないし図１２ｇのレセプタクルカバー６０ｃは、図１２ｄに示される２つの整列した内部フランジ７６ａと７６ｂを備える点を除き、図１０ａないし図１０ｇのレセプタクルカバー６０ａと構成が同じである。図７の小児または乳児用の指センサ組立体におけるセンサ５４が所定位置へ着くための案内を提供する目的で、内部フランジ７６ａと７６ｂは使用される。センサ５４は子供用であり、図５ａないし図５ｄおよび図６ａないし図６ｄのセンサ組立体における指センサ４２やセンサ５２より寸法が小さい。
【００３１】
かくして、図１０ａないし図１０ｇのレセプタクルカバー６０ａは、図５ａないし図５ｄのセンサ組立体における指センサ４２を保持するために使用される。図１１ａないし図１１ｇのレセプタクルカバー６０ｂは、図６ａないし図６ｄのセンサ組立体におけるセンサ５２を保持するために使用される。図１２ａないし図１２ｇのレセプタクルカバー６０ｃは、図７のセンサ組立体におけるセンサ５４を保持するために使用される。らせん状部を有する図８ａないし図８ｃのセンサ組立体におけるセンサ５６は図５ａないし図５ｄのセンサ組立体における指センサ４２と寸法が同じであるので、レセプタクルカバー６０ａはセンサ５６の保持用としても使われる。以上の互いに異なるレセプタクルカバーの各々を、これ以降は図９に示される如くのレセプタクルカバー６０と称する。指定しない場合、上記の種種センサ組立体におけるセンサを、これ以降は図９に示される如くのセンサ５２と称する。
【００３２】
中にセンサ５２が保持されるポケットレセプタクルまたはホルスターを生じさせるために、空洞２８を画成するハウジング１２の部分にレセプタクルカバー６０を滑りにより嵌め入れる。この時、レセプタクルカバー６０縁部のフランジ６８ａと６８ｂが案内部材として働くのであり、空洞２８を画成する背壁１８から延びる側壁２４ａと２４ｂに沿う溝７８ａと７８ｂに対して、それぞれフランジ６８ａと６８ｂを嵌め込み、滑動させる。ハウジング１２内にレセプタクルカバー６０が完全に挿入されると、レセプタクルカバー６０と背壁１８が、対応センサ、例えば図９のセンサ５２を保持するためのレセプタクルを形成する。このように構成されたレセプタクル２８ａは、図１３に最も良く示されている。図５ａないし図５ｃ、図６ａないし図６ｃ、図７、および図８ａないし図８ｂの複数のセンサのうちどれを酸素濃度計２と共に使用するか、また使用されるセンサの保持に必要なレセプタクル、ポケットまたはホルスターを生じさせるためにレセプタクルカバー６０ａ、６０ｂ、および６０ｃのうちどれをハウジング１２に嵌め込むかに応じて、レセプタクル２８ａの寸法が変わる。
【００３３】
レセプタクルカバー６０をハウジング１２の空洞画成部分に取り付ける際に、レセプタクルカバー６０の湾曲端挿入部６６の端部６６ａ（図１０ａ）がハウジング１２の突出部３０に当接する。レセプタクルカバー６０はプラスチック材からできていて、プラスチック材の生得弾性特性により、前記当接時に湾曲端挿入部６６が曲がり、そして突出部３０を乗り越え、したがってレセプタクルカバー６０は突出部３０によりラッチ状態すなわち掛け金をかけられた状態になる。湾曲端挿入部６６は、空洞２８を画成する基部２６上に嵌合型のシート部を形成する。使用者が突出部３０によるレセプタクルカバー６０のラッチ状態に打ち勝つ所定の力を加えることにより、レセプタクルカバー６０を空洞２８から取り外すことができる。酸素濃度計２と共に使用されるセンサの型と、そのセンサに関連するセンサ組立体とに応じて、酸素濃度計ハウジング１２に装着するレセプタクルカバー６０を換えてもよい。
【００３４】
所定のレセプタクルカバー６０をハウジング１２に装着してレセプタクル２８ａを形成した後で、非使用状態の対応するセンサをレセプタクル２８ａの中に入れ、そこに収容することができる。レセプタクルカバー６０の前面壁６４における舌部７０が接触するセンサ表面に対して傾いているので、偏りによりセンサはハウジング１２の背壁１８に押し付けられる。その結果、レセプタクル２８ａの中に入れられると、レセプタクル２８ａからセンサを取り外すために舌部７０から受ける力よりも強い力を使用者がセンサに加えない限り、センサはレセプタクル２８ａ内にしっかりと保持される。図１７は、レセプタクルカバーの酸素濃度計ハウジングへの装着により形成されたレセプタクルにセンサが収容されている状態を示す。
【００３５】
図１３を参照するに、酸素濃度計ハウジング１２背部における室部２２の内部に入力コネクタ５０が存在する。入力コネクタ５０は、図５ａないし図５ｄ、図６ａないし図６ｄ、図７、および図８ａないし図８ｃのセンサ組立体におけるセンサコネクタ４６に接続するものである。センサコネクタ４６に耳部４６ｃと４６ｄが設けられる。これら耳部４６ｃと４６ｄに対応して、室部２２の内側にスロット８０ａと８０ｂが設けられる。耳部４６ｃと４６ｄが対応するスロット８０ａと８０ｂに嵌り、対応するスロット８０ａと８０ｂに沿って嵌合滑動することにより、センサコネクタ４６が室部２２の内部に案内される。
【００３６】
図１４は底面図であり、酸素濃度計２の底面８２が開口８４を有することを示す。開口８４は、ハウジング１２の背部に向かって延びる通路８４ａを伴う。また開口８４は、ＵＳＢコネクタなどのコネクタ８８が設置される室８６に連通する。このコネクタ８８は、相手方コネクタに接続されるように構成される。相手方コネクタは、ドッキングステーション（図２１）のコネクタ、すなわち従来のＵＳＢケーブルコネクタでよい。相手方コネクタは、電力供給および／または酸素濃度計２と外部装置との間の通信を行うためのものである。ＵＳＢケーブルコネクタがコネクタ８８に接続される場合、ケーブル本体が通路８４ａに通されるのであり、したがってハウジング１２は平らな面の上でまっすぐに立つことができる。
【００３７】
図１５は、ＵＳＢケーブル組立体を示す。このＵＳＢケーブル組立体は、酸素濃度計ハウジング１２の室８６に位置するコネクタ８８に接続するように構成されるコネクタ９２を有する。さらに、このＵＳＢケーブル組立体は、ケーブル９０を有する。ケーブル９０が通路８４ａに嵌まり込み、またコネクタ９２の本体が開口８４に嵌まり込むので、酸素濃度計２は平らな面の上でまっすぐに立つことができる。前述のように、ケーブル９０の酸素濃度計２への接続により、酸素濃度計２と他の装置との間に通信路が確立される。ここで他の装置の例として、図５ａないし図５ｄ、図６ａないし図６ｄ、図７、および図８ａないし図８ｃのセンサ組立体におけるセンサを介して酸素濃度計２により測定される身体特性を遠隔でモニターすることができる他の酸素濃度計や外部モニター装置がある。酸素濃度計２の他の装置との通信に関する能力については、開示内容が本出願に組み込まれる前述の同時継続中の米国特許出願に開示されている。ケーブル９０の酸素濃度計２への接続により、電気通信路の確立に加えて、外部電力の酸素濃度計２への供給を行ってもよい。
【００３８】
図１６は、酸素濃度計２と、図５ａないし図５ｄ、図６ａないし図６ｄ、図７、および図８ａないし図８ｃにおけるセンサ組立体のうちのいずれか一つとの関係を示す。図示されるように、前記センサ組立体のうちの一つにおけるケーブルコネクタ４６が、室部２２の室２２ａに設置されたＤＢ−９コネクタなどのコネクタ５０に接続可能である。スロット８０ａと８０ｂがコネクタ４６の耳部４６ｃと４６ｄに対する案内を提供するので、コネクタ４６はコネクタ５０へと確実に案内され、そしてコネクタ５０に結合する。前述のオキシメータボードにより行われるように、また良く知られているように、測定された身体特性を酸素濃度計２のディスプレイスクリーン４に表示させるために、センサ組立体のセンサにより測定された身体特性は酸素濃度計２に送られる。
【００３９】
図１７は、図８ａないし図８ｃにおけるらせん状のセンサ組立体の酸素濃度計２への接続を示し、センサ組立体のセンサ４６が酸素濃度計ハウジング１２の室部２２に位置するコネクタ５０に結合されている。また図１７はセンサ５６を示しており、このセンサ５６はレセプタクルカバーまたはクリップカバー６０、例えば図１０ａないし図１０ｇのレセプタクルカバー６０ａのハウジング１２への装着により形成されるレセプタクルまたはホルスターに保持されている。さらに図１７は、レセプタクルカバー６０ａをハウジング１２に装着するための、ハウジング背壁１８における突出部３０と、レセプタクルカバー６０ａの湾曲端挿入部６６の端部６６ａとの間の共同動作を示す。レセプタクルカバー６０ａを突出部３０によるラッチ状態から取り外すのに十分な強さの力が加えられていない場合、レセプタクルカバー６０ａはハウジング１２にしっかりと装着され続ける。舌部７０によりセンサ５６がレセプタクル２８ａを構成する背壁１８に押し付けられているので、センサ５６は摩擦によりレセプタクル２８ａに保持される。
【００４０】
図１８は、本発明酸素濃度計２の第２実施例を示す前面図である。この酸素濃度計２では、所定数のボタンスイッチ９４がハウジング１２の前面に追加されている。ボタンスイッチ９４は、使用者による追加操作を可能にする。追加操作の例として、他の数字表象または図形表象を表示するようにディスプレイスクリーン４を切り換える操作や、開示内容が本出願に組み込まれる前述の同時継続中の米国特許出願に開示されている他の機能操作がある。
【００４１】
図１９は、本発明酸素濃度計２の他の実施例を示す。この酸素濃度計２では、ディスプレイスクリーン４がＬＣＤ（液晶ディスプレイ）スクリーンである。このＬＣＤスクリーンは、検出した患者の身体特性を表してもよい追加図形と追加数字や、酸素濃度計使用者のための追加情報を表示できる。この追加情報の例として、指示、患者の状態や警報を含むテキストメッセージがある。図１９の酸素濃度計２は、他の酸素濃度計を含む他の装置との通信を使用者に提供する。この他の装置は、開示内容が本出願に組み込まれる前述の同時継続中の米国特許出願に開示されている如くの、ケーブル無しに電気通信できるものでもよい。
【００４２】
図２０は、酸素濃度計２の透視背面図である。この酸素濃度計２では、バッテリパック３６が室３８から取り出されており、またバッテリカバー２０がハウジング１２から取り外されている。バッテリカバー２０は、その下部に通路８４ａを有するように構成される。
【００４３】
図２１は、ドッキングステーション９４の透視図である。酸素濃度計２をドッキングステーション９４にドッキングしてもよい。ドッキングするために、酸素濃度計２のＵＳＢコネクタ８８（図１５）がドッキングステーション９４に設けられた相手方コネクタ９６に接続される。コネクタ９６はモレックス（Ｍｏｌｅｘ）コネクタでもよい。モレックスコネクタは、酸素濃度計２に電力を送ることができ、またドッキングステーション９４と酸素濃度計２との間で通信路を形成することができる。酸素濃度計２がドッキングステーション９４にドッキングされている時に、酸素濃度計ハウジング１２を所定位置に確実に着かせるために、ドッキングステーション９４に室または受け台９８が設けられる。酸素濃度計２のドッキングステーション９４へのドッキングは、図２３に最も良く示される。
【００４４】
図２２ａないし図２２ｅは、ドッキングステーション９４を示すそれぞれ異なる図である。図２２ａはドッキングステーション９４の前面を示しており、その前面には所定数の情報ライトが設けられる。これら情報ライトには、例えば次のものがある。酸素濃度計２がドッキングステーション９４にドッキングされている時に、点灯しているＬＥＤ９４ａはＡＣ電力がドッキングステーション９４に供給中であることを表し、また点灯しているＬＥＤ９４ｂはＵＳＢ電力が利用可能であり、ＵＳＢ電力が酸素濃度計２に供給中であることを表す。予備バッテリ充電ライト９４ｃは、ドッキングステーション９４における予備バッテリ１００（図２３）が充電中であることを表す。図２２ｅに示されるように、ドッキングステーション９４の背部にドア１０２が設けられる。予備バッテリ１００は、ドア１０２の裏側に設けられた室（図示せず）に挿入される。図２３に示されるドア１０２は、開いた状態にある。
【００４５】
図２２ｂはドッキングステーション９４上部の平面図であり、酸素濃度計２が配置され、それを受ける室９８と、酸素濃度計２のＵＳＢコネクタ８８が接続されるコネクタ９６とを示す。図２２ｄは、ドッキングステーション９４の側面図である。図２２ｃは、ドッキングステーション９４の底面図である。図２２ｃに示されるように、側部通路を有する室１０４の中にコネクタ１０６が設けられる。ドッキングステーション９４はコネクタ１０６により外部装置または電力装置に接続することができ、したがってドッキングステーション９４にドッキングした酸素濃度計２と外部装置との間に通信路および／または電力供給路を形成することができる。ドッキングステーション９４と共に使用されるケーブル組立体は、図１５に示されるケーブル組立体と同じであってもよい。図２２ｅにおいて、バッテリパックの挿入方法と取り外し方法を使用者に示す図形表象が後部ドア１０２に印刷されている。
【００４６】
図２３は、酸素濃度計２のドッキングステーション９４へのドッキング状況と、ドッキングステーション９４後部のドア１０２が開いている状況と、ドッキングステーション９４から取り外されたバッテリパック１００とを示す。
【００４７】
図２４ａないし図２４ｅは、ドッキングステーション９４に取り付けることができるプリンタ１０８を示す種種の図である。プリンタ１０８は、酸素濃度計２からの情報を印刷することができる。プリンタ１０８は、ドア１１０を含む側部１０８ａを有する。図２７に示されるように、ドア１１０は軸旋回して開くことができ、これにより印刷紙ロールをプリンタ１０８内に装填することができる。図２４ｃに示されるように、プリンタ１０８は上部１０８ｂを有し、上部１０８ｂは使用者のための種種スイッチと指示を含む。プリンタ１０８の側面１０８ｃには、印刷紙ロールのプリンタ１０８内への装填方法とドア１１０の開閉方法を示す図が設けられる。図２４ｂはプリンタ１０８の背面１０８ｄ示していて、背面１０８ｄにはコネクタ１１０が設けられる。コネクタ１１０は、ドッキングステーション９４における対応するコネクタ（図２１において、ドッキングステーション９４のカバー１１２の裏側に存在するので、図示しない）に接続する。ドッキングステーション９４のカバー１１２の裏側に存在するコネクタに接続している時に、コネクタ１１０はドッキングステーション９４とプリンタ１０８との間の通信を提供する。プリンタ１０８のドッキングステーション９４に対する位置整合は、ドッキングステーション９４側部のねじ１１４を取り外し、図２４ｂに示されるプリンタ背面１０８ｄの案内ポストをねじ１１４用の孔に挿入することにより行われる。
【００４８】
図２５は、ヒンジを介してドッキングステーション９４に取り付けられるプリンタ１０８を示す。図２６は、ドッキングステーション９４に連結されたプリンタ１０８を示す。酸素濃度計２がドッキングステーション９４に保持されると、連結されたプリンタ１０８とドッキングステーション９４により形成されるシステムは、使用者の要求に応じて酸素濃度計２やドッキングステーション９４からの情報を印刷する。またこのシステムは、酸素濃度計２とドッキングステーション９４との間での情報伝達を行う。さらに、コネクタ１０６（図２２ｃ）を介してドッキングステーション９４が遠方装置に接続されている場合には、このシステムは遠方装置への情報伝達を行う。
【００４９】
図２７は、プリンタ１０８とドッキングステーション９４の組合せによるシステムを示していて、そこでは多分新しい印刷紙ロールを受け入れるためドア１１０が開かれている。
【００５０】
本発明には多くの変形例、部分的変更例、および細部にわたっての変更例が存在するのであり、本明細書で述べられた全ての事項および添付図に示された全ての事項は、説明のためだけのものであり、本発明の範囲を限定するものではない。本発明の範囲は、添付請求項の主旨と範囲によってのみ限定され得る。例えば、これまで酸素濃度計について説明したが、患者の身体特性や生理的パラメータを測定するセンサを備えた医療用装置に本発明を用いてもよい。この場合、医療用装置のハウジングは、異なる寸法の複数のクリップまたはカバーを受けるように構成され、したがって異なる寸法の複数のセンサが医療用装置に収容され、医療用装置と共に運ばれる。
【図１】
0005468613.tif 000002
【図２】
0005468613.tif 000003
【図３】
0005468613.tif 000004
【図４】
0005468613.tif 000005
【図５ａ】
0005468613.tif 000006
【図５ｂ】
0005468613.tif 000007
【図５ｃ】
0005468613.tif 000008
【図５ｄ】
0005468613.tif 000009
【図６ａ】
0005468613.tif 000010
【図６ｂ】
0005468613.tif 000011
【図６ｃ】
0005468613.tif 000012
【図６ｄ】
0005468613.tif 000013
【図７】
0005468613.tif 000014
【図８ａ】
0005468613.tif 000015
【図８ｂ】
0005468613.tif 000016
【図８ｃ】
0005468613.tif 000017
【図９】
0005468613.tif 000018
【図１０ａ】
0005468613.tif 000019
【図１０ｂ】
0005468613.tif 000020
【図１０ｃ】
0005468613.tif 000021
【図１０ｄ】
0005468613.tif 000022
【図１０ｅ】
0005468613.tif 000023
【図１０ｆ】
0005468613.tif 000024
【図１０ｇ】
0005468613.tif 000025
【図１１ａ】
0005468613.tif 000026
【図１１ｂ】
0005468613.tif 000027
【図１１ｃ】
0005468613.tif 000028
【図１１ｄ】
0005468613.tif 000029
【図１１ｅ】
0005468613.tif 000030
【図１１ｆ】
0005468613.tif 000031
【図１１ｇ】
0005468613.tif 000032
【図１２ａ】
0005468613.tif 000033
【図１２ｂ】
0005468613.tif 000034
【図１２ｃ】
0005468613.tif 000035
【図１２ｄ】
0005468613.tif 000036
【図１２ｅ】
0005468613.tif 000037
【図１２ｆ】
0005468613.tif 000038
【図１２ｇ】
0005468613.tif 000039
【図１３】
0005468613.tif 000040
【図１４】
0005468613.tif 000041
【図１５】
0005468613.tif 000042
【図１６】
0005468613.tif 000043
【図１７】
0005468613.tif 000044
【図１８】
0005468613.tif 000045
【図１９】
0005468613.tif 000046
【図２０】
0005468613.tif 000047
【図２１】
0005468613.tif 000048
【図２２ａ】
0005468613.tif 000049
【図２２ｂ】
0005468613.tif 000050
【図２２ｃ】
0005468613.tif 000051
【図２２ｄ】
0005468613.tif 000052
【図２２ｅ】
0005468613.tif 000053
【図２３】
0005468613.tif 000054
【図２４ａ】
0005468613.tif 000055
【図２４ｂ】
0005468613.tif 000056
【図２４ｃ】
0005468613.tif 000057
【図２４ｄ】
0005468613.tif 000058
【図２４ｅ】
0005468613.tif 000059
【図２５】
0005468613.tif 000060
【図２６】
0005468613.tif 000061
【図２７】
0005468613.tif 000062